(57)【要約】【課題】操作部が不用意に操作されてもユーザが戸惑うことがないガスコンロを提供する。【解決手段】操作つまみが押し込まれ、基板スイッチがオンになると、制御回路に電力が供給され、点火報知処理が実行される。ＣＰＵは、待機時間の計時を開始し（Ｓ１）、待機時間が経過するまで待機する（Ｓ５：ＮＯ）。待機中にイグナイタスイッチがオンになったり（Ｓ３：ＹＥＳ）、待機時間が経過したりすれば（Ｓ５：ＹＥＳ）、操作パネルの表示とＬＥＤの点灯を行い（Ｓ６）、起動音を発音する（Ｓ７）。そして、イグナイタの作動により（Ｓ１１）、バーナに点火する。一方、待機中に基板スイッチがオフになれば（Ｓ２：ＹＥＳ）、点火報知処理を終了する。これにより、不用意な操作によって基板スイッチがオンになった場合には、バーナへの点火がなされないにもかかわらず、操作パネルの表示とＬＥＤの点灯と起動音の発音とが行われてしまうようなことはない。【選択図】図６
2019070490.tif 000002
【特許請求の範囲】
【請求項１】
筐体の上部に配置される複数のバーナと、
複数の前記バーナの夫々に対応して設けられ、対応する前記バーナへのガスの供給と遮断を行う複数の供給機構と、
前記バーナに供給されたガスに点火する点火機構と、
前記バーナに対応して設けられる操作部に対する操作に応じ、少なくとも、前記供給機構と連動して前記バーナにガスを供給しつつ、前記点火機構と連動してガスに点火する点火動作と、前記供給機構と連動して前記バーナに供給するガスを遮断する消火動作とを行う操作機構と、
前記操作機構による前記点火動作の過程でオン・オフの状態が一方の状態から他方の状態に変化する第一検出スイッチと、
前記第一検出スイッチの状態が前記他方の状態である場合に、発光する発光部及び発音する発音部のうち、少なくとも一方の動作を制御し、自身の作動状態を報知する報知動作を行う制御部と、
を備えたガスコンロであって、
前記制御部は、
前記第一検出スイッチが前記一方の状態から前記他方の状態に変化したことを契機に計時を開始する計時手段を備え、
前記第一検出スイッチが前記他方の状態であっても、前記計時手段が所定時間の経過を計時するまでは、前記報知動作を実施しないこと
を特徴とするガスコンロ。
【請求項２】
前記操作機構の前記操作部は、
前記バーナへのガスの供給が遮断された状態において付勢力によって維持される位置であり、前記操作部に対する操作を待機しつつ、前記点火動作を開始する起点、及び前記消火動作が終了する終点となる待機位置と、
前記操作部に対する操作によって前記待機位置から移動する位置であり、前記点火動作が終了する終点となる点火位置と、
前記点火位置への移動後に付勢力によって移動する位置であり、前記バーナへのガスの供給が維持される燃焼位置と、
前記操作部に対する操作によって前記燃焼位置から移動する位置であり、前記消火動作を開始する起点となる消火位置と、
の間を順に移動し、且つ前記消火位置への移動後に付勢力によって前記消火位置から前記待機位置に移動し、
前記点火動作は、前記操作部が前記待機位置から前記点火位置に移動する過程で行われ、
前記消火動作は、前記操作部が前記消火位置から前記待機位置に移動する過程で行われること
を特徴とする請求項１に記載のガスコンロ。
【請求項３】
前記操作機構による前記点火動作の過程において、前記第一検出スイッチが前記一方の状態から前記他方の状態に変化するよりも後の過程でオン・オフの状態が変化する第二検出スイッチを更に備え、
前記制御部は、前記計時手段が前記所定時間の経過を計時し終える前に、前記第二検出スイッチの状態が変化した場合には、前記報知動作を実施すること
を特徴とする請求項１又は２に記載のガスコンロ。
【発明の詳細な説明】
【技術分野】
【０００１】
本発明はガスコンロに関する。
【背景技術】
【０００２】
バーナの点火時と消火時に、操作部の操作を行うガスコンロが知られている。例えば特許文献１に記載のガスコンロ装置には、点消火ボタンの押込動作に応じて２つの接点をオン・オフするマイクロスイッチが設けられる。そのうちの第１接点は、点火時に、点消火ボタンが消火位置からその奥側の点火位置まで押し込まれる途中でオンになる。第１接点がオンになると、ガスコンロ装置は制御部に通電し、電磁安全弁の保持電流を供給する。点消火ボタンは、点火位置で手を離すと消火位置よりも手前側の燃焼位置に突出する。第１接点は、消火時に、点消火ボタンが燃焼位置から奥側に押し込まれ、消火位置に戻るとオフになる。第１接点がオフになると、ガスコンロ装置は電磁安全弁への保持電流の供給を停止し、制御部への通電を停止する。
【先行技術文献】
【特許文献】
【０００３】
【特許文献１】特開２０１６−６１４９５号公報
【発明の概要】
【発明が解決しようとする課題】
【０００４】
ガスコンロは、通電によって制御部が駆動すると、火力を表示するＬＥＤや、操作パネルの液晶ディスプレイ等が点灯される。例えば点消火ボタンが不用意に押し込まれたとき、押し込みが浅く点火動作に至らなかったとしても、特許文献１では、バーナが点火していない状態であるにもかかわらずＬＥＤや液晶ディスプレイが点灯状態となるので、ユーザが戸惑う可能性があった。
【０００５】
本発明の目的は、操作部が不用意に操作されてもユーザが戸惑うことがないガスコンロを提供することである。
【課題を解決するための手段】
【０００６】
本発明の請求項１に係る発明のガスコンロは、筐体の上部に配置される複数のバーナと、複数の前記バーナの夫々に対応して設けられ、対応する前記バーナへのガスの供給と遮断を行う複数の供給機構と、前記バーナに供給されたガスに点火する点火機構と、前記バーナに対応して設けられる操作部に対する操作に応じ、少なくとも、前記供給機構と連動して前記バーナにガスを供給しつつ、前記点火機構と連動してガスに点火する点火動作と、前記供給機構と連動して前記バーナに供給するガスを遮断する消火動作とを行う操作機構と、前記操作機構による前記点火動作の過程でオン・オフの状態が一方の状態から他方の状態に変化する第一検出スイッチと、前記第一検出スイッチの状態が前記他方の状態である場合に、発光する発光部及び発音する発音部のうち、少なくとも一方の動作を制御し、自身の作動状態を報知する報知動作を行う制御部と、を備えたガスコンロであって、前記制御部は、前記第一検出スイッチが前記一方の状態から前記他方の状態に変化したことを契機に計時を開始する計時手段を備え、前記第一検出スイッチが前記他方の状態であっても、前記計時手段が所定時間の経過を計時するまでは、前記報知動作を実施しないことを特徴とする。
【０００７】
請求項２に係る発明のガスコンロは、請求項１に記載の発明の構成に加え、前記操作機構の前記操作部は、前記バーナへのガスの供給が遮断された状態において付勢力によって維持される位置であり、前記操作部に対する操作を待機しつつ、前記点火動作を開始する起点、及び前記消火動作が終了する終点となる待機位置と、前記操作部に対する操作によって前記待機位置から移動する位置であり、前記点火動作が終了する終点となる点火位置と、前記点火位置への移動後に付勢力によって移動する位置であり、前記バーナへのガスの供給が維持される燃焼位置と、前記操作部に対する操作によって前記燃焼位置から移動する位置であり、前記消火動作を開始する起点となる消火位置と、の間を順に移動し、且つ前記消火位置への移動後に付勢力によって前記消火位置から前記待機位置に移動し、前記点火動作は、前記操作部が前記待機位置から前記点火位置に移動する過程で行われ、前記消火動作は、前記操作部が前記消火位置から前記待機位置に移動する過程で行われることを特徴とする。
【０００８】
請求項３に係る発明のガスコンロは、請求項１又は２に記載の発明の構成に加え、前記操作機構による前記点火動作の過程において、前記第一検出スイッチが前記一方の状態から前記他方の状態に変化するよりも後の過程でオン・オフの状態が変化する第二検出スイッチを更に備え、前記制御部は、前記計時手段が前記所定時間の経過を計時し終える前に、前記第二検出スイッチの状態が変化した場合には、前記報知動作を実施することを特徴とする。
【発明の効果】
【０００９】
請求項１に係る発明のガスコンロによれば、制御部は、発光部の発光及び発音部の発音の少なくとも一方により、ガスコンロの作動状態を報知する報知動作を行う。報知動作は、第一検出スイッチの状態が他方の状態である場合に行われる。第一検出スイッチの状態は、操作機構による点火動作の過程で、一方の状態から他方の状態に変化する。例えばユーザが点火の意図なく操作部に触れる等、操作部が不用意に操作された場合、点火動作が開始されるので、第一検出スイッチの状態が変化することがある。請求項１に係る発明のガスコンロによれば、制御部は、第一検出スイッチが一方の状態から他方の状態に変化してから所定時間が経過するまで、報知動作を実施しない。よって、所定時間が経過する前に第一検出スイッチが一方の状態に戻れば、制御部は報知動作を実施することがない。操作部が不用意に操作された場合でも、すぐに点火動作が中断されることによって第一検出スイッチが一方の状態に戻れば、バーナが点火しない状態であるにもかかわらず発光部が発光したり発音部が発音したりすることがなく、ユーザが戸惑うことはない。
【００１０】
請求項２に係る発明のガスコンロによれば、請求項１に記載の発明の効果に加え、操作部が不用意に操作された場合、操作部に対する操作は、操作部が待機位置から点火位置に移動する前に解除される。この場合、点火動作が中断され、操作部は付勢力により待機位置に戻る。即ち、操作部が不用意に操作された場合であれば、第一検出スイッチが一方の状態から他方の状態に変化しても、直ぐに一方の状態に戻る。特に、ユーザに点火の意図がない場合に、操作部が不用意に操作されてしまっても発光部が発光したり発音部が発音したりすることがないので、ユーザが戸惑うことはない。
【００１１】
請求項３に係る発明のガスコンロによれば、請求項１又は２に記載の発明の効果に加え、点火動作は、第二検出スイッチの状態が変化する頃に完了する。ユーザが点火の意図をもって操作部を操作する場合において、点火動作が完了しているのに報知動作が行われないと、ユーザは戸惑う可能性がある。請求項３に係る発明のガスコンロによれば、第二検出スイッチの状態が変化する過程まで点火動作が継続した場合、制御部は、所定時間の経過を待たずに報知動作を実施することができる。即ち制御部は、所定時間の経過前であっても、点火動作が完了したのであれば直ちに報知動作を行うことができるので、ユーザが戸惑うことはない。
【図面の簡単な説明】
【００１２】
【図１】ガスコンロ１の斜視図である。
【図２】燃料供給装置２０の斜視図である。
【図３】パネル装置９Ｂの分解斜視図である。
【図４】ガスコンロ１の電気的構成を示すブロック図である。
【図５】点火動作と消火動作について説明するためのタイミングチャートである。
【図６】点火報知処理のフローチャートである。
【発明を実施するための形態】
【００１３】
以下、本発明の実施形態を説明する。以下に記載される装置の構造などは、特定的な記載がない限り、それのみに限定する趣旨ではなく、単なる説明例である。図面は、本発明が採用しうる技術的特徴を説明するために用いられるものである。以下説明は、図中に矢印で示す左右、前後、上下を使用する。
【００１４】
図１を参照し、ガスコンロ１について説明する。ガスコンロ１は、ビルトインコンロである。ガスコンロ１は筐体２と天板３を備える。筐体２は上部が開口し、開口部分に天板３が設置される。天板３において、右手前には右バーナ４、左手前には左バーナ５、中央奥側には奥バーナ６が設けられる。右バーナ４、左バーナ５、奥バーナ６の夫々の側面には多数の炎孔が設けられる。右バーナ４の炎孔の近傍には、イグナイタ４Ａの点火電極と熱電対４Ｂ（図４参照）が炎孔に臨むようにして設置される。左バーナ５の炎孔の近傍には、イグナイタ５Ａの点火電極と熱電対５Ｂ（図４参照）が炎孔に臨むようにして設置される。奥バーナ６の炎孔の近傍には、イグナイタ６Ａの点火電極と熱電対６Ｂ（図４参照）が炎孔に臨むようにして設置される。イグナイタ４Ａ、５Ａ、６Ａは、駆動することにより点火電極においてスパーク放電を発生し、炎孔から噴出されるガスに点火する。熱電対４Ｂ、５Ｂ、６Ｂは、炎孔に形成される火炎により加熱されて熱起電力を発生する。故にガスコンロ１は、熱電対４Ｂ、５Ｂ、６Ｂに発生する熱起電力に基づき、右バーナ４、左バーナ５、奥バーナ６における失火を検出できる。
【００１５】
天板３の後方部には、筐体２内に設置されたグリル装置（図示略）の排気口７が設けられる。ガスコンロ１の前面の略中央には、グリル扉８が設けられる。グリル扉８は、グリル装置に設けられるグリル庫（図示略）の前側開口部分を開閉する。グリル扉８の右側の領域には、右バーナ４とグリル装置の火力表示を行うパネル装置９Ａが設けられる。グリル扉８の左側の領域には、左バーナ５と奥バーナ６の火力表示を行うパネル装置９Ｂが設けられる。パネル装置９Ａ、９Ｂは、下側部分に操作パネル１１４（図４参照）を収容し、上側部分には化粧パネル８０が設けられる。化粧パネル８０の夫々には、２つの円形の開口部８６が左右に並んで形成される。パネル装置９Ａの２つの開口部８６内には、夫々、正面視円形状の２つの操作つまみ１１、１２が配置される。パネル装置９Ｂの２つの開口部８６内には、夫々、操作つまみ１１、１２と略同一形状の２つの操作つまみ１３、１４が配置される。操作つまみ１１〜１４の夫々は、右バーナ４、グリル庫内のグリルバーナ（図示略）、奥バーナ６、左バーナ５の点火、消火及び火力調節を行う為に操作される。操作つまみ１１〜１４は、夫々、後述する燃料供給装置２０（図２参照）の前端部に取り付けられる。
【００１６】
各々の開口部８６の上側外周部分には、複数の透光部８１が設けられる。複数の透光部８１は、化粧パネル８０の後側に設けられる複数のＬＥＤ６１（図４参照）の夫々に対応して設けられる。透光部８１は、ＬＥＤ６１から出射されるＬＥＤ光を、化粧パネル８０の前面Ｆから前方へ出射する。パネル装置９Ａ、９Ｂは、操作つまみ１１、１３、１４の回転位置に対応する位置のＬＥＤ光を透過し、他の位置のＬＥＤ光を、後述する火力表示部材７０（図２参照）で遮蔽することによって火力表示を行う。なお、グリル装置の燃料供給装置は、操作つまみ１２の回転位置に応じてオン・オフが切り替わる複数のスイッチ（図示略）を備える。グリルバーナの火力は、複数のスイッチのオン・オフの状態に応じて開閉状態が切り替わる複数の電磁弁１１９によって調節される。よって、グリル装置の火力表示は、複数のスイッチのオン・オフの状態に合わせ、パネル装置９Ａに設けたＬＥＤ６１の点灯・消灯の状態を段階的に切り替えることによって行われる。操作つまみ１２の開口部８６の上側に設けられた複数の透光部８２と、夫々に対応するＬＥＤ６１は、グリルバーナの火力が視覚的に分かりやすくなるように、マトリクス状に配列されている。
【００１７】
図２、図３を参照し、燃料供給装置２０について説明する。ガスコンロ１は、右バーナ４、左バーナ５、奥バーナ６、及びグリル装置にガスを供給する４つの燃料供給装置を備える。そのうち、右バーナ４、左バーナ５、奥バーナ６にガスを供給する燃料供給装置２０は公知のプッシュ・プッシュ機構２４を備えた同一構成の装置である。また、グリル装置にガスを供給する燃料供給装置（図示略）は、燃料供給装置２０と同様のプッシュ・プッシュ機構を備えるが、ガス流量の調節を電磁弁１１９（図４参照）によって行うため、流量調節部（図示略）を別体に設ける。以下では、左バーナ５にガスを供給する燃料供給装置２０を一例として説明し、右バーナ４、奥バーナ６、グリル装置にガスを供給する燃料供給装置については説明を省略する。なお、右バーナ４にガスを供給する燃料供給装置と、奥バーナ６にガスを供給する燃料供給装置は、燃料供給装置２０と同一構成であるので、便宜上、同一の符号を付して燃料供給装置２０と呼ぶ。
【００１８】
図２に示すように、燃料供給装置２０は、操作つまみ１４の押込操作と回動操作により、左バーナ５の点火と消火、及び左バーナ５に供給するガス量の調節を行う装置である。押込操作は、操作つまみ１４の前面を後方へ押圧し、ガスコンロ１の筐体２の前面Ｆ（パネル装置９Ｂの前面）よりも奥側に押し込む操作である。回動操作は、操作つまみ１４の側面を把持し、前後方向の軸（軸心ＡＸ）を中心に回転する操作である。燃料供給装置２０は、点火消火部２１、ガス流路部２２、火力調節カム２６、流量調節部３１等を備える。
【００１９】
点火消火部２１は操作つまみ１４、プッシュ・プッシュ機構２４、連結部材２５を備える。連結部材２５は後述する。操作つまみ１４は略円柱状に形成される。操作つまみ１４は、ガスコンロ１の後方へ向けて押し込む押込操作が行われる度に、待機位置から点火位置を経て燃焼位置に移動する動作と、燃焼位置から消火位置を経て待機位置に移動する動作とを交互に行う。図３（Ａ）に示すように、待機位置は、操作つまみ１４の先端面が、筐体２の前面Ｆとほぼ面一となる位置である。操作つまみ１４はバネの付勢力で待機位置に維持される。待機位置において、操作つまみ１４の先端面は、筐体２の前面Ｆよりも僅かに後側に位置してもよいし、僅かに前側に位置してもよい。なお、図２に示す燃料供給装置２０は、操作つまみ１４が待機位置に位置する。
【００２０】
図３（Ｂ）に示すように、点火位置は、操作つまみ１４の先端面が、筐体２の前面Ｆよりも後方に押し込まれた位置である。操作つまみ１４は、点火位置において待機位置よりも後方に位置する。図３（Ｃ）に示すように、燃焼位置は、操作つまみ１４の先端面が、筐体２の前面Ｆに対して突出する位置である。点火位置に押し込まれた後、操作つまみ１４はバネの付勢力で点火位置から燃焼位置に移動する。操作つまみ１４は、燃焼位置において待機位置よりも前方に位置する。燃焼位置にあるとき、操作つまみ１４は、前後方向に沿う軸心ＡＸを中心に回転可能（回動操作可能）である。図３（Ｄ）に示すように、消火位置は、操作つまみ１４の先端面が、筐体２の前面Ｆよりも後方に押し込まれた位置である。操作つまみ１４は、消火位置において、待機位置よりも後方且つ点火位置よりも前方に位置する。消火位置に押し込まれた後、操作つまみ１４はバネの付勢力で消火位置から待機位置に移動する。
【００２１】
図２に示すように、プッシュ・プッシュ機構２４は、操作つまみ１４を待機位置、点火位置、燃焼位置、消火位置の各位置において位置決めし、各位置に応じて後述するメイン弁（図示略）と安全弁４８（図６参照）を開閉する。プッシュ・プッシュ機構２４の内部には、スライダ（図示略）と弁開閉部材（図示略）が設けられる。
【００２２】
スライダには公知のカム機構（図示略）が設けられ、バネ（図示略）によって前方に付勢される。操作つまみ１４が押込操作される度に、スライダは、カム機構によって、操作つまみ１４を待機位置から点火位置を経て燃焼位置に移動する動作と、燃焼位置から消火位置を経て待機位置に移動する動作とを繰り返す。弁開閉部材はバネ（図示略）によって前方に付勢され、スライダと連動して動作する。弁開閉部材は、操作つまみ１４が押込操作によって待機位置から点火位置に移動する過程でメイン弁と安全弁４８を開放し、且つメイン弁を開放状態に維持する。弁開閉部材は、操作つまみ１４が押込操作によって消火位置から待機位置に移動する過程でメイン弁の開放状態を解除する。
【００２３】
プッシュ・プッシュ機構２４は、右側面にイグナイタスイッチ１５（図２参照）を備え、左側面に基板スイッチ１６（図３参照）を備える。イグナイタスイッチ１５と基板スイッチ１６はレバースイッチであり、スライダから右側方と左側方に夫々突出する駆動片４１Ａ（図２参照）と駆動片４１Ｂ（図３参照）により、オン又はオフの状態に操作される。
【００２４】
ガス流路部２２は、プッシュ・プッシュ機構２４の後側に連結される。ガス流路部２２の内部には第一ガス通路（図示略）が形成される。第一ガス通路は、下部に開口する導入口２３に接続するガス供給管（図示略）から供給されるガスを、流量調節部３１に流通する。第一ガス通路にはメイン弁と安全弁４８が設けられる。上記したように、メイン弁は、弁開閉部材の押圧によって第一ガス通路を開放し、且つ開放状態に維持する。メイン弁は、バネ（図示略）によって第一ガス通路を閉じる閉状態に弾性付勢される。故にメイン弁は、弁開閉部材の押圧が解除されると、バネに付勢されて第一ガス通路を閉鎖し、且つ閉鎖状態に維持する。
【００２５】
安全弁４８は、バネ（図示略）によって第一ガス通路を閉じる閉状態に弾性付勢された電磁操作式の弁である。安全弁４８は、弁開閉部材によってメイン弁とともに押圧されると、第一ガス通路を開放する。安全弁４８は開放時に、ガスコンロ１の制御回路１００に搭載されるＣＰＵ１０１（図４参照）によって駆動され、開放状態に維持される。なお、ＣＰＵ１０１は、メイン弁の閉鎖によって左バーナ５が消火すると、安全弁４８の駆動を停止し、開放状態を解除する。この場合、安全弁４８は、バネによって第一ガス通路を閉鎖する。
【００２６】
流量調節部３１はプッシュ・プッシュ機構２４とガス流路部２２の上部に設けられる。流量調節部３１の内部には第二ガス通路（図示略）が形成される。第二ガス通路は、ガス流路部２２から供給されるガスを流通し、上部に開口する流出口３２に接続されるガス供給管（図示略）を介して左バーナ５に供給する。流量調節部３１の前端部には第二ガス通路に連通する穴部３０が形成され、ニードル弁２８が挿入される。ニードル弁２８は、前端部側が穴部３０から外部に露出され、後端部側が第二ガス通路内において前後方向に移動可能に配置される。ニードル弁２８の前端部には、上下方向に延びるピン２９が設けられる。ピン２９の下端部は、火力調節カム２６のカム溝２７（後述）に係合する。
【００２７】
火力調節カム２６は略半円筒状に形成され、プッシュ・プッシュ機構２４の前端側上部を覆うようにして、軸心ＡＸの回りを回転可能に設けられる。火力調節カム２６は、前後方向への移動が規制される。火力調節カム２６の外周部には、カム溝２７が設けられる。カム溝２７は、軸心ＡＸを中心とする螺旋状に形成される。カム溝２７にはニードル弁２８に設けられたピン２９の下端部が係合する。火力調節カム２６が回転すると、カム溝２７がピン２９を案内し、ニードル弁２８を前後方向に移動する。
【００２８】
火力調節カム２６は前方に延びる延伸部（図示略）を備え、延伸部の前端部分に内向きに突出する歯部（図示略）を有する。歯部は操作つまみ１４が燃焼位置（図３（Ｃ）参照）にあるときに連結部材２５の歯部３８に噛合する。連結部材２５は、プッシュ・プッシュ機構２４のスライダから前方に延び、軸心ＡＸを軸とする軸体（図示略）に係合する。連結部材２５は軸体の前端部に保持され、軸心ＡＸを中心に軸体の周囲を回転可能な状態で、スライダと共に前後方向へ移動可能に設けられる。操作つまみ１４は連結部材２５の先端部に保持され、連結部材２５と共に前後方向へ移動可能、且つ軸心ＡＸを中心に回転可能に設けられる。連結部材２５の歯部３８は、後端部の外周面に設けられる。操作つまみ１４が燃焼位置にあるとき、連結部材２５の歯部３８は火力調節カム２６の歯部と噛合し、操作つまみ１４と火力調節カム２６を連結する。操作つまみ１４が燃焼位置にない場合には、火力調節カム２６の歯部は連結部材２５の歯部３８の前方に位置して噛合せず、操作つまみ１４と火力調節カム２６の連結状態を解除する。
【００２９】
火力調節カム２６の延伸部の外周面には、略半円筒状のＬＥＤ操作部材３６が固定される。ＬＥＤ操作部材３６は、前方に延びる係合片３７を有する。係合片３７は火力表示部材７０に係合する。火力調節カム２６は、ＬＥＤ操作部材３６を介し、軸心ＡＸを中心に火力表示部材７０を回転する。
【００３０】
火力表示部材７０は、本体部７１とフランジ部７６を備える。本体部７１は前後方向に延びる円筒形状を呈する。本体部７１の内径は、操作つまみ１４の外径より大きい。本体部７１は周方向の３ヶ所に、２つのフック７５と１つの係合部７４を有する。２つのフック７５は、筐体２のパネル装置９Ｂ内で本体部７１を配置する貫通穴（図示略）に掛け留められ、火力表示部材７０を化粧パネル８０の後側で軸心ＡＸを中心に回転可能に保持する。係合部７４は、ＬＥＤ操作部材３６の係合片３７に係合する。フランジ部７６は、本体部７１の前端部分において径方向外向きに突出し、周方向に一周する鍔状に形成される。フランジ部７６は、パネル装置９Ｂ内でＬＥＤ６１と化粧パネル８０の透光部８１との間に配置される。フランジ部７６は、切り欠き状の光通過部７７を有する。火力表示部材７０は、光通過部７７に対応する位置のＬＥＤ光を通過させ、他のＬＥＤ光をフランジ部７６で遮蔽する。ガスコンロ１は、操作つまみ１４と共に火力表示部材７０を回転し、ガスの流量に応じた位置のＬＥＤ光が光通過部７７を介して透光部８１から出射されることによって、火力表示を行う。
【００３１】
次に、ガスコンロ１の電気的な構成について説明する。ガスコンロ１は、制御回路１００を備える。制御回路１００は、ＣＰＵ１０１、ＲＯＭ１０２、ＲＡＭ１０３、タイマ１０４に加え、図示しない、Ｉ／Ｏインタフェイス等を備える。ＣＰＵ１０１はガスコンロ１の各種動作を統括制御する。ＲＯＭ１０２は、点火報知処理（図６参照）を含む、ガスコンロ１の各種プログラムを記憶する。ＲＡＭ１０３は、各種情報を一時的に記憶する。タイマ１０４はプログラムで作動するものであり、後述する点火報知処理においては待機時間を計時する。
【００３２】
制御回路１００には、電源回路１２０、スイッチ入力回路１１１、熱電対入力回路１１２、操作パネル１１４、ＬＥＤドライバ回路１１５、安全弁回路１１６、電磁弁回路１１７、イグナイタ回路１１８、音声出力回路１２２等が各々接続される。電源回路１２０は、電源１２５から供給される交流（例えば１００Ｖ）を直流（例えば５Ｖ）に降圧して整流し、各種回路に電力を供給する。なお、図中において、電源は「ＡＣ」と表す。スイッチ入力回路１１１は、燃料供給装置２０のイグナイタスイッチ１５と基板スイッチ１６のオン・オフの状態を検出し、電源回路１２０と制御回路１００に入力する。なお、制御回路１００は、いずれかの燃料供給装置２０の基板スイッチ１６がオンの状態になると作動し、全ての燃料供給装置２０の基板スイッチ１６がオフの状態になると動作を停止する。熱電対入力回路１１２は、熱電対４Ｂ、５Ｂ、６Ｂからの検出値（熱起電力に対応する信号）を制御回路１００に入力する。操作パネル１１４は、使用者によるタイマ設定、調理内容に応じた火力制御の選択等の入力、ＣＰＵ１０１の制御内容に応じたＬＥＤの点灯及び消灯等に用いられる。
【００３３】
ＬＥＤドライバ回路１１５は、パネル装置９Ａ、９Ｂの表示基板６０に搭載する複数のＬＥＤ６１の点灯及び消灯を制御する。安全弁回路１１６は、ＣＰＵ１０１の制御に基づき、燃料供給装置２０の安全弁４８を開閉する。電磁弁回路１１７は、ＣＰＵ１０１の制御に基づき、グリル装置の流量調節部（図示略）に設けられる複数の電磁弁１１９を開閉する。イグナイタ回路１１８は、イグナイタスイッチ１５の状態に応じてＣＰＵ１０１が出力する制御信号に基づき、イグナイタ４Ａ、５Ａ、６Ａを各々駆動する。音声出力回路１２２は、筐体２内に設けられるスピーカ１２１から音声の出力を制御する。後述する点火報知処理では、点火時には起動音「ピッ」がスピーカ１２１から発音され、消火時には消火音「ピピピピピ」がスピーカ１２１から発音される。また、ＣＰＵ１０１が実行する他の処理では、例えば音声による操作案内等がスピーカ１２１から発音される。
【００３４】
次に、図５に示すタイミングチャートに基づいて、操作つまみ１４の押込操作に基づく点火動作及び消火動作について説明する。Ｔ０時、操作つまみ１４は待機位置にある。基板スイッチ１６とイグナイタスイッチ１５はオフ状態であり、左バーナ５は消火状態である。Ｔ１時、左バーナ５を点火するため、ユーザは操作つまみ１４に対する押込操作を開始する。押込操作に伴い、プッシュ・プッシュ機構２４のスライダと弁開閉部材が後方へ向けて移動を開始し、点火動作を開始する。ガスコンロ１は、操作つまみ１４が待機位置から点火位置に移動する過程で左バーナ５にガスを供給し、且つガスに点火する点火動作を行う。即ち待機位置は点火動作を開始する起点であり、点火位置は点火動作を終了する終点である。安全弁４８とメイン弁は弁開閉部材によって開放する。
【００３５】
Ｔ２時、弁開閉部材の駆動片４１Ｂが基板スイッチ１６に接触し、基板スイッチ１６をオン状態にする。制御回路１００に電力が供給されて、ＣＰＵ１０１が駆動する。ＣＰＵ１０１は安全弁回路１１６に制御信号を送信し、安全弁４８を開放状態に維持する。ＣＰＵ１０１は、操作パネル１１４を駆動し、バックライトを点灯させて調理内容を選択する表示を行う。なお、操作パネル１１４は、後述する点火報知処理（図６参照）の実行によって、待機時間の経過後に駆動する。ＣＰＵ１０１は、ＬＥＤドライバ回路１１５に制御信号を送信し、ＬＥＤ６１を発光（点灯）させる。なお、ＬＥＤ６１は、点火報知処理の実行によって、待機時間の経過後に点灯する。ＣＰＵ１０１は、音声出力回路１２２に制御信号を送信し、スピーカ１２１から起動音を発音させる。なお、スピーカ１２１は、点火報知処理の実行によって、待機時間の経過後に発音する。
【００３６】
Ｔ３時、弁開閉部材の駆動片４１Ａがイグナイタスイッチ１５に接触し、イグナイタスイッチ１５をオン状態にする。ＣＰＵ１０１は、イグナイタ回路１１８に制御信号を送信し、イグナイタ５Ａを駆動する。なお、ＣＰＵ１０１は、イグナイタスイッチ１５がオン状態になったら、イグナイタ５Ａを所定時間駆動する。所定時間経過後、熱電対入力回路１１２から入力される熱電対５Ｂの検出値に基づき、左バーナ５に着火していなければ、安全弁回路１１６への制御信号の送信が停止され、安全弁４８が閉鎖される。
【００３７】
Ｔ４時、操作つまみ１４は点火位置に到達し、点火動作が終了する。Ｔ５時に、ユーザが操作つまみ１４から手を離すと、操作つまみ１４はスライダのバネの付勢力により、点火位置から燃焼位置へ向けて移動し始める。また、弁開閉部材も、バネと、メイン弁のバネの付勢力により、前方へ移動し始める。イグナイタスイッチ１５はＴ６時にオフ状態になるが、オン状態となったときから所定時間が経過するまで、イグナイタ５Ａは駆動する。
【００３８】
Ｔ７時に、弁開閉部材は開弁維持位置に到達し、前方への移動が停止される。弁開閉部材は、開弁維持位置においてメイン弁を開放状態に維持し、且つ基板スイッチ１６をオンの状態に維持する。スライダは、Ｔ７時以降も前方へ移動し続け、Ｔ８時に燃焼位置に到達すると、移動を停止する。燃焼位置に到達する直前に、連結部材２５の歯部３８と火力調節カム２６の歯部が噛合することで、操作つまみ１４は火力調節カム２６に連結する。
【００３９】
操作つまみ１４が燃焼位置にある状態で操作つまみ１４が回動操作されると、火力調節カム２６は操作つまみ１４と共に軸心ＡＸの回りを回転する。火力調節カム２６が回転すると、ニードル弁２８のピン２９がカム溝２７に案内されて、前後方向に移動する。これにより、ニードル弁２８が前後方向に移動するので、ニードル弁２８の位置に応じて第二ガス通路を流通するガスの流量が調節され、左バーナ５の火力が変更される。また、操作つまみ１４の回動操作によって火力表示部材７０も回動し、火力に応じた位置のＬＥＤ光がフランジ部７６の光通過部７７を通過して、化粧パネル８０の透光部８１から出射され、火力が表示される。
【００４０】
Ｔ９時、左バーナ５を消火するため、ユーザは操作つまみ１４に対する押込操作を開始する。押込操作に伴い、プッシュ・プッシュ機構２４のスライダが後方へ向けて移動を開始する。連結部材２５の歯部３８と火力調節カム２６の歯部の噛合状態が解除され、操作つまみ１４は火力調節カム２６との連結を解除する。
【００４１】
Ｔ１０時、スライダは弁開閉部材に当接し、弁開閉部材を後方へ押圧する。スライダと弁開閉部材は、押込操作により、後方へ移動する。Ｔ１１時に、操作つまみ１４は消火位置に到達する。そしてＴ１２時に、ユーザが操作つまみ１４から手を離すと、操作つまみ１４はスライダのバネと、弁開閉部材のバネと、メイン弁のバネの付勢力により、点火位置から待機位置へ向けて移動し始める。また、弁開閉部材も、バネと、メイン弁のバネの付勢力により、前方へ移動し始め、消火動作が開始される。ガスコンロ１は、操作つまみ１４が消火位置から待機位置に移動する過程で左バーナ５に供給するガスを遮断する消火動作を行う。即ち消火位置は消火動作を開始する起点であり、待機位置は消火動作を終了する終点である。
【００４２】
Ｔ１３時、基板スイッチ１６がオフ状態になる。ＣＰＵ１０１は、安全弁回路１１６への制御信号の送信を停止し、安全弁４８の電磁操作を解除する。バネの付勢力によって安全弁４８が閉鎖されるので、ガスの供給が絶たれた左バーナ５は消火する。Ｔ１４時、操作つまみ１４が待機位置に到達し、消火動作が終了する。弁開閉部材もスライダと共に移動範囲の前端に位置するので、メイン弁は閉鎖状態となる。
【００４３】
ところで、操作つまみ１４に対する押込操作によって基板スイッチ１６がオン状態になると、操作パネル１１４が表示され、ＬＥＤ６１が点灯し、スピーカ１２１から起動音が発音される。押込操作がユーザの意図しない不用意な操作に基づくものであった場合、ＬＥＤ６１が点灯やスピーカ１２１の発音等は、左バーナ５の点火がなされなくとも生じてしまう。故にガスコンロ１は、制御回路１００のＣＰＵ１０１が点火報知処理を行うことによって、操作パネル１１４の表示、ＬＥＤ６１の点灯、スピーカ１２１の発音を基板スイッチ１６がオンになった時から所定の待機時間が経過するまで待機させる。そして、待機中に基板スイッチ１６がオフになれば、操作パネル１１４の表示、ＬＥＤ６１の点灯、スピーカ１２１の発音を行わない。
【００４４】
以下、図６を参照し、点火報知処理について説明する。ユーザが待機位置にある操作つまみ１４に対して押込操作を行い、左バーナ５への点火を行うと、基板スイッチ１６がオンの状態になり、制御回路１００に電力が供給されて、ＣＰＵ１０１が駆動する。ＣＰＵ１０１は、基板スイッチ１６がオンの状態になることを契機に、その他の制御処理と並行して点火報知処理の実行を開始する。ＣＰＵ１０１はタイマ１０４を駆動し、待機時間の計時を開始する（Ｓ１）。待機時間は、例えば５００ｍｓであり、不用意な操作に基づく押込操作が行われても、その押込操作が解除されるのに十分な時間が設定されている。
【００４５】
ＣＰＵ１０１は、待機時間の計時中に、基板スイッチ１６のオン・オフ状態と、イグナイタスイッチ１５のオン・オフ状態と、待機時間の経過の有無を判断する。基板スイッチ１６がオンであり（Ｓ２：ＮＯ）、イグナイタスイッチ１５がオフであり（Ｓ３：ＮＯ）、待機時間が経過前であれば（Ｓ５：ＮＯ）、ＣＰＵ１０１は処理をＳ２に戻して判断を繰り返す。
【００４６】
待機中に基板スイッチ１６がオフになった場合（Ｓ２：ＹＥＳ）、ＣＰＵ１０１は点火報知処理を終了する。制御回路１００への電力の供給は、遮断される。ガスコンロ１は、操作パネル１１４の表示、ＬＥＤ６１の点灯、スピーカ１２１の発音を行わない。
【００４７】
待機中にイグナイタスイッチ１５がオンになった場合（Ｓ３：ＹＥＳ）、操作つまみ１４に対する押込操作は、不用意な操作によるものではなく、左バーナ５の点火を意図したものであると見做すことができる。故にＣＰＵ１０１は、処理をＳ６に進める。また、基板スイッチ１６がオンでイグナイタスイッチ１５がオフの状態のままで待機時間が経過した場合（Ｓ５：ＹＥＳ）、操作つまみ１４に対する押込操作は、単に操作つまみ１４に触れただけですぐに押し込みが解消されるようなものではなく、左バーナ５の点火を意図したものであり、押込操作がなされている途中であると見做すことができる。故にＣＰＵ１０１は、処理をＳ６に進める。
【００４８】
ＣＰＵ１０１は、操作パネル１１４の表示とＬＥＤ６１の点灯を行う（Ｓ６）。また、ＣＰＵ１０１は、スピーカ１２１から起動音を発音させる（Ｓ７）。ＣＰＵ１０１は、基板スイッチ１６のオン・オフ状態と、イグナイタスイッチ１５のオン・オフ状態を判断する。基板スイッチ１６がオンであり（Ｓ８：ＮＯ）、イグナイタスイッチ１５がオフであれば（Ｓ１０：ＮＯ）、ＣＰＵ１０１は処理をＳ８に戻して判断を繰り返す。
【００４９】
基板スイッチ１６がオフになった場合（Ｓ８：ＹＥＳ）、左バーナ５の点火が行われなかったものの、操作パネル１１４は表示を行い、ＬＥＤ６１は点灯した状態にある。故にＣＰＵ１０１は、処理をＳ１５に移行して操作パネル１１４を非表示にし、ＬＥＤを消灯したら（Ｓ１５）、点火報知処理を終了する。制御回路１００への電力の供給は、遮断される。
【００５０】
また、イグナイタスイッチ１５がオンになった場合（Ｓ１０：ＹＥＳ）、ＣＰＵ１０１はイグナイタ５Ａを作動する（Ｓ１１）。点火動作においてイグナイタスイッチ１５がオンになる前には安全弁４８とメイン弁が開放されているので、左バーナ５にはガスが供給されている。イグナイタ回路１１８はイグナイタ５Ａを所定時間駆動し、左バーナ５に点火する。
【００５１】
左バーナ５の点火後、ＣＰＵ１０１は、基板スイッチ１６がオフになるまで待機する（Ｓ１２：ＮＯ）。消火動作が行われ、基板スイッチ１６がオフになると（Ｓ１２：ＹＥＳ）、ＣＰＵ１０１はスピーカ１２１から消火音を発音させる（Ｓ１３）。ＣＰＵ１０１は、操作パネル１１４を非表示にし、ＬＥＤを消灯したら（Ｓ１５）、点火報知処理を終了する。制御回路１００への電力の供給は、遮断される。なお、上記説明した点火報知処理は左バーナ５の点火動作及び消火動作に対する処理であるが、右バーナ４、奥バーナ６、コンロバーナの点火動作及び消火動作に対する処理においても同様の点火報知処理が実行される。
【００５２】
以上説明したように、制御回路１００のＣＰＵ１０１は、操作パネル１１４の表示、ＬＥＤ６１の点灯、及びスピーカ１２１の発音の少なくとも一つにより、ガスコンロ１の作動状態を報知する報知動作を行う。報知動作は、基板スイッチ１６の状態がオン状態である場合に行われる。基板スイッチ１６の状態は、操作機構による点火動作の過程で、オフ状態からオン状態に変化する。例えばユーザが点火の意図なく操作つまみ１４に触れる等、操作つまみ１４が不用意に操作された場合、点火動作が開始されるので、基板スイッチ１６の状態が変化することがある。ＣＰＵ１０１は、基板スイッチ１６がオフ状態からオン状態に変化してから所定の待機時間が経過するまで、報知動作を実施しない。よって、待機時間が経過する前に基板スイッチ１６がオフ状態に戻れば、ＣＰＵ１０１は報知動作を実施することがない。操作つまみ１４が不用意に操作された場合でも、すぐに点火動作が中断されることによって基板スイッチ１６がオフ状態に戻れば、左バーナ５が点火しない状態であるにもかかわらず操作パネル１１４が表示されたり、ＬＥＤ６１が点灯したり、スピーカ１２１から起動音が発音したりすることがなく、ユーザが戸惑うことはない。
【００５３】
操作つまみ１４が不用意に操作された場合、操作つまみ１４に対する操作は、操作つまみ１４が待機位置から点火位置に移動する前に解除される。この場合、点火動作が中断され、操作つまみ１４はバネの付勢力により待機位置に戻る。即ち、操作つまみ１４が不用意に操作された場合であれば、基板スイッチ１６がオフ状態からオン状態に変化しても、直ぐにオフ状態に戻る。特に、ユーザに点火の意図がない場合に、操作つまみ１４が不用意に操作されてしまっても操作パネル１１４が表示されたり、ＬＥＤ６１が点灯したり、スピーカ１２１から起動音が発音したりすることがないので、ユーザが戸惑うことはない。
【００５４】
点火動作は、イグナイタスイッチ１５の状態が変化する頃に完了する。ユーザが点火の意図をもって操作つまみ１４を操作する場合において、点火動作が完了しているのに報知動作が行われないと、ユーザは戸惑う可能性がある。本実施形態では、イグナイタスイッチ１５の状態が変化する過程まで点火動作が継続した場合、ＣＰＵ１０１は、待機時間の経過を待たずに報知動作を実施することができる。即ちＣＰＵ１０１は、待機時間の経過前であっても、点火動作が完了したのであれば直ちに報知動作を行うことができるので、ユーザが戸惑うことはない。
【００５５】
なお、本発明は上記実施形態に限定されるものではなく、種々の変更が可能である。例えば、起動音、終了音の発音は、なくてもよい。点火報知処理において待機がなされるのは、操作パネル１１４の表示、ＬＥＤ６１の点灯、スピーカ１２１の発音のうち、少なくとも一つであってもよい。ＣＰＵ１０１は基板スイッチ１６がオフ状態からオン状態になることを契機に点火報知処理を実行したが、イグナイタスイッチ１５がオフ状態からオン状態になることを契機に点火報知処理を実行してもよいし、別途、点火報知処理の実行の契機となるスイッチを設けてもよい。また、ＣＰＵ１０１は、基板スイッチ１６がオン状態からオフ状態になることを契機に点火報知処理を実行してもよい。なおこの場合、ＣＰＵ１０１の非駆動時に基板スイッチ１６がオン状態であり、駆動時にオフ状態であればよい。
【００５６】
待機時間は５００ｍｓに限らず、適宜変更してもよい。燃料供給装置２０は点火・消火の動作と火力の調整動作を行うが、夫々別体の装置によって行ってもよい。操作つまみ１１、１３、１４は回動操作によって右バーナ４、奥バーナ６、左バーナ５の火力を調整するが、火力調節レバーを設け、レバー操作によって火力調整を行ってもよい。この場合、操作つまみの代わりに、点火動作と消火動作を行う点火消火ボタンを設けてもよい。なお、火力調節レバーと点火消火ボタンが別体に設けられたとしても、ユーザが不用意に点火消火ボタンに触れてしまう場合がある。この場合でも、本実施形態のように待機時間の経過を待ってから操作パネル１１４の表示、ＬＥＤ６１の点灯、スピーカ１２１の発音を行うことで、ユーザが戸惑うことはない。
【００５７】
また、点火消火ボタンの代わりに、回転する点火消火スイッチを設け、点火消火スイッチの回転位置に応じて点火動作と消火動作を行ってもよい。この場合、点火消火スイッチがバネ等の付勢により待機位置に戻る構成はなくてもよく、ユーザが手動で点火消火スイッチを待機位置に回動することで、点火動作を中断できるようにしてもよい。
【００５８】
上記説明において、右バーナ４、左バーナ５、奥バーナ６が本発明の「バーナ」の一例である。ガス流路部２２が本発明の「供給機構」の一例である。イグナイタ４Ａ，５Ａ，６Ａが本発明の「点火機構」の一例である。操作つまみ１１〜１４が本発明の「操作部」の一例である。点火消火部２１が本発明の「操作機構」の一例である。基板スイッチ１６が本発明の「第一検出スイッチ」の一例である。操作パネル１１４、ＬＥＤ６１が本発明の「発光部」の一例である。スピーカ１２１が本発明の「発音部」の一例である。ＣＰＵ１０１が本発明の「制御部」の一例である。Ｓ５の判断を行うＣＰＵ１０１が本発明の「計時手段」の一例である。イグナイタスイッチ１５が本発明の「第二検出スイッチ」の一例である。
【符号の説明】
【００５９】
１                                    ガスコンロ
２                                    筐体
４                                    右バーナ
５                                    左バーナ
６                                    奥バーナ
４Ａ，５Ａ，６Ａ                      イグナイタ
１１〜１４                            操作つまみ
１５                                  イグナイタスイッチ
１６                                  基板スイッチ
２０                                  燃料供給装置
２１                                  点火消火部
２２                                  ガス流路部
６１                                  ＬＥＤ
１０１                                ＣＰＵ
１１４                                操作パネル
１２１                                スピーカ
【図１】
2019070490.tif 000003
【図２】
2019070490.tif 000004
【図３】
2019070490.tif 000005
【図４】
2019070490.tif 000006
【図５】
2019070490.tif 000007
【図６】
2019070490.tif 000008